(57)【特許請求の範囲】
【請求項１】
被洗浄物を収納する洗浄槽と、前記洗浄槽内の洗浄水を加熱する加熱手段と、前記洗浄槽内の空気を排出する排気口と、前記洗浄槽内に外気を供給する送風手段と、前記送風手段と前記洗浄槽とを連通する第１の経路と、前記排気口と前記洗浄槽とを連通する第２の経路と、前記第１の経路から分岐して前記第２の経路と接続する第３の経路と、前記第１の経路から前記第３の経路が分岐する分岐部に設けられるとともに前記送風手段から供給される外気の風圧により前記洗浄槽内に供給する外気の量と前記第３の経路を介して前記第２の経路内に供給する外気の量とを変化させる風量分配手段とを  備え、前記風量分配手段は、前記第１の経路の一部を形成し、前記第１の経路もしくは前記第３の経路に着脱可能に設けられている食器洗い乾燥機。
【請求項２】
前記風量分配手段は、前記送風手段が運転していないとき、前記第１の経路を略閉塞する請求項１記載の食器洗い乾燥機。
【請求項３】
前記第３の経路を主に構成する経路部材は、前記洗浄槽の外壁前面に上下方向に設けられており、下部が前記第１の経路に、上部が前記第２の経路に接続されており、上端の断面積が下端の断面積より大きい請求項１又は２に記載の食器洗い乾燥機。
【請求項４】
前記経路部材は、前記第１の経路と前記第２の経路とに同一の方向に係合して接続し、かつ少なくとも２つ以上の部品を爪嵌合して構成してなることを特徴とする請求項３に記載の食器洗い乾燥機。
【発明の詳細な説明】
【技術分野】
【０００１】
本発明は、キッチン等に設置され被洗浄物の収納及び自動洗浄、乾燥を行う食器洗い乾燥機に関するものである。
【背景技術】
【０００２】
従来、この種の食器洗い乾燥機は、洗浄終了後に被洗浄物を乾燥させるため外気を洗浄槽内に送風して洗浄槽内の高温度で多湿な空気を排出する構成としている（例えば、特許文献１参照）。
【０００３】
図７は、特許文献１に記載された従来の食器洗い乾燥機を示すものである。図７に示すように、被洗浄物を収納する洗浄槽１０１と、洗浄水を噴射する洗浄ノズル１０２と洗浄水を加圧する洗浄ポンプ１０３を有する洗浄手段１０４と、洗浄水を加熱する加熱手段１０５と、洗浄槽１に外気を送風する送風手段１０６と、洗浄槽１内部の空気を排気する排気口１０７と、排気口１０７に設けた外気を混合させる排気補助手段１０８から構成されている。
【特許文献１】特開２０００−１６６８４７号公報
【発明の開示】
【発明が解決しようとする課題】
【０００４】
しかしながら、前記従来の構成は、排気口に流入する洗浄槽内からの排気の風圧により排気補助手段が駆動し、新たな外気を副流として高温高湿の排気に混合させるもので、高温高湿の洗浄槽内排気の温度を低減できるものの、排気の温度を十分下げるには風量が足りず、また、洗浄槽内からの排気と外気との混合割合を適切に変えることができないという課題を有していた。
【０００５】
本発明は、前記従来の課題を解決するもので、洗浄槽から流出する洗浄槽内からの排気に適当な量の外気を混合し、さらに送風手段からの外気の風圧により混合の割合を変えることで、排気の温度低減と排気内水分量の削減を促進し、さらに、風量分配手段を単独で外して修理することにより、メンテナンス費用を低減でき、容易にメンテナンスをすることができる食器洗い乾燥機を提供することを目的とする。
【課題を解決するための手段】
【０００６】
前記従来の課題を解決するために、本発明の食器洗い乾燥機は、前記送風手段と前記洗浄槽とを連通する第１の経路と、前記排気口と前記洗浄槽とを連通する第２の経路と、前記第１の経路から分岐して前記第２の経路と接続する第３の経路と、前記第１の経路から前記第３の経路が分岐する分岐部に設けられるとともに前記送風手段から供給される外気の風圧により前記洗浄槽内に供給する外気の量と前記第３の経路を介して前記第２の経路内に供給する外気の量とを変化させる風量分配手段とを  備え、前記風量分配手段は、前記第１の経路の一部を形成し、前記第１の経路もしくは前記第３の経路に着脱可能に設けられているものである。
【０００７】
この構成により、洗浄槽から流出する洗浄槽内からの排気に適当な量の外気を混合し、さらに送風手段からの外気の風圧により混合の割合を変えることで、排気の温度低減と排気内水分量の削減を促進することができる。さらに、食器洗い乾燥機の使用者が、万が一、台所用の洗剤を入れた場合、洗浄槽内に大量の泡が発生し、食器に付着していた異物とともに泡が洗浄槽から風量分配手段に逆流してしまい、風量分配手段に汚れや泡が付着し不具合が起きた場合でも、風量分配手段を単独で外して修理することにより、メンテナンス費用を低減でき、容易にメンテナンスをすることができる。
【発明の効果】
【０００８】
本発明の食器洗い乾燥機は、洗浄槽から流出する洗浄槽内からの排気に適当な量の外気
を混合し、さらに送風手段からの外気の風圧により混合の割合を変えることで、排気の温度低減と排気内水分量の削減を促進することができる。さらに、食器洗い乾燥機の使用者が、万が一、台所用の洗剤を入れた場合、洗浄槽内に大量の泡が発生し、食器に付着していた異物とともに泡が洗浄槽から風量分配手段に逆流してしまい、風量分配手段に汚れや泡が付着し不具合が起きた場合でも、風量分配手段を単独で外して修理することにより、メンテナンス費用を低減でき、容易にメンテナンスをすることができる。
【発明を実施するための最良の形態】
【０００９】
第１の発明は、被洗浄物を収納する洗浄槽と、前記洗浄槽内の洗浄水を加熱する加熱手段と、前記洗浄槽内の空気を排出する排気口と、前記洗浄槽内に外気を供給する送風手段と、前記送風手段と前記洗浄槽とを連通する第１の経路と、前記排気口と前記洗浄槽とを連通する第２の経路と、前記第１の経路から分岐して前記第２の経路と接続する第３の経路と、前記第１の経路から前記第３の経路が分岐する分岐部に設けられるとともに前記送風手段から供給される外気の風圧により前記洗浄槽内に供給する外気の量と前記第３の経路を介して前記第２の経路内に供給する外気の量とを変化させる風量分配手段とを  備え、前記風量分配手段は、前記第１の経路の一部を形成し、前記第１の経路もしくは前記第３の経路に着脱可能に設けられている食器洗い乾燥機であるため、食器洗い乾燥機の使用者が、万が一、台所用の洗剤を入れた場合、洗浄槽内に大量の泡が発生し、食器に付着していた異物とともに泡が洗浄槽から風量分配手段に逆流してしまい、風量分配手段に汚れや泡が付着し不具合が起きた場合でも、風量分配手段を単独で外して修理することにより、メンテナンス費用を低減でき、容易にメンテナンスをすることができる。さらに、洗浄槽から流出する洗浄槽内からの排気に適当な量の外気を混合し、さらに送風手段からの外気の風圧により混合の割合を変えることで、排気の温度低減と排気内水分量の削減を促進することができる。また、風量分配手段が故障した状態での食器洗い乾燥機の運転を避けることができるので、送風手段の故障による送風の不具合を避けることができる。
【００１０】
第２の発明は、特に、第１の発明の食器洗い乾燥機において、風量分配手段は、送風手段が運転していないとき、第１の経路を略閉塞していることにより、送風手段が運転していない洗浄行程において、台所用洗剤を食器洗い乾燥機に入れたために、大量の泡が発生した場合でも、第１の調節弁が第１の経路を略閉塞しているので、第１の経路を介して洗浄槽から送風手段に泡が移動することを防止し、泡による送風手段の故障を抑制することができる。
【００１１】
第３の発明は、特に、第１または第２の発明の食器洗い乾燥機において、前記第３の経路を主に構成する経路部材は、前記洗浄槽の外壁前面に上下方向に設けられており、下部が前記第１の経路に、上部が前記第２の経路に接続されており、上端の断面積が下端の断面積より大きいことにより、第３の経路を個別で締結する部品を不用意に増やすことなく、限られたスペース内において構成することができる。さらに、送風手段から供給される送風量を低減することなく、損失の少ない高効率なる送風を実現できるため、排気の温湿度低減を効果的に行える。
【００１２】
第４の発明は、特に、第３の発明の食器洗い乾燥機において、経路部材は、第１の経路と第２の経路とに同一の方向に係合して接続し、かつ少なくとも２つ以上の部品を爪嵌合して構成したことにより、連通に必要な複雑な形態も第３の経路のみで実現でき、部品点数を増やさず低コスト化を図れるわけである。
【００１３】
以下、本発明の実施の形態について、図面を参照しながら説明する。なお、この実施の形態によって本発明が限定されるものではない。
【００１４】
（実施の形態１）
図１は、本発明の実施の形態１における食器洗い乾燥機の断面図であり、図２は本発明の実施の形態１における風量分配手段の断面図であり、図３は本発明の実施の形態１における風量分配手段の他の断面図であり、図４は本発明の実施の形態１における第１の経路と第３の経路の接続部の斜視図であり、図５は本発明の実施の形態１における第２の経路と第３の経路の接続部の断面図であり、図６は本発明の実施の形態１における第３の経路の斜視図であり、図７は従来の食器洗い乾燥機の断面図である。
【００１５】
図１から図３に示すように、食器などの被洗浄物を収納する洗浄槽１の底部には、洗浄水を被洗浄物に噴出する洗浄ノズル２と洗浄水を加圧する洗浄ポンプ３とを有する洗浄手段４と、洗浄水を加熱し昇温させる加熱手段５を配置している。また、送風手段６を洗浄槽１の外壁底部に設け、洗浄槽１内の空気を排出して洗浄槽１内を乾燥させるため、洗浄槽１内に外気を送風する。また、洗浄槽１内の空気を排出する排気口７を食器洗い乾燥機の前面上部に有し、送風手段６が外気を吸気するための吸気口８が設けられ、洗浄槽１の前面にはその下方に外気を流入させる流入口９を設け、その上方には洗浄槽１内の空気を排出させる流出口１０を設けている。
【００１６】
送風手段６と洗浄槽１とを連通する第１の経路１１を洗浄槽１の底部の外壁に設け、第１の経路１１を通じ、送風手段６から洗浄槽１に外気を供給する。また、排気口７と洗浄槽１とを連通する第２の経路１２を通じ、洗浄槽１内の空気を排気口７に排気する。
【００１７】
また、第１の経路１１は主に第１の経路部品１１ａで構成されており、同様に第２の経路１２および第３の経路１３はそれぞれ、主に第２の経路部品１２ａおよび第３の経路部品（経路部材）１３ａで構成されている。第１の経路部品１１ａおよび第２の経路部品１２ａは、溶着するかまたはシールパッキンを用いてネジ等により洗浄槽１の前面外壁に水漏れ等しないようにシールされ固定されている。
【００１８】
図４および図５に示すように、第３の経路部品１３ａは、洗浄槽１の外壁前面に設けられ、前記の第１の経路部品１１ａと第２の経路部品１２ａ間を連結接続している。また、第１の接続部１１ｂにおいて第１の経路部品１１ａと第３の経路部品１３ａとが接続しており、第２の接続部１２ｂにおいて第２の経路部品１２ａと第３の経路部品とが接続している。また、第３の経路部品１３ａは第１および第２の接続部１１ｂ、１２ｂにスライド嵌合して取り付けられ、一連の送風経路を成すよう構成されている。また、第３の経路部品１３ａは、図６に示すように爪嵌合する２つの樹脂部品からなり、第３の経路部品１３ａは、下部が略正方形であり、下部から上方にいくにつれ左右方向に長くなり奥行き方向には短くなる。そして、ついには断面が略長方形となり、第３の経路部品１３ａが奥行き方向に短くなるので、洗浄槽１の外壁前面の空間を有効に活用することができる。例えば、第３の経路部品１３ａのうち奥行き方向の長さが短くなった部分の前方に、プリント基板などの食器洗い乾燥機の制御手段を設けることができる。
【００１９】
供給された送風は、第２の経路１２と第３の経路１３とが交差する混合部１４において、洗浄槽１内から排気された空気と外気とが混合する。
【００２０】
第１の経路１１に接続された第３の経路１３への分岐部に設けられた風量分配手段１５は、第１の調節弁１６と第２の調節弁１７と回転軸受け１８とを一体化した連結体１９と、回転軸２０を有する軸受け部２１と、を有している。送風手段６から供給される外気の風圧で開度が変化する第１の調節弁１６は、第１の経路１１途中の分岐部近傍に位置し、同様に開度が風圧で変化する第２の調節弁１７は、第３の経路１３の経路の分岐部近傍に位置する。また、回転軸受け１８が軸受け部２１の壁面から略水平に突出する回転軸２０に挿入されるので、連結体１９は回動自在に軸支されている。
【００２１】
風量分配手段１５は、送風手段６から供給される外気の風圧により、第１の調節弁１６および第２の調節弁１７の開度をそれぞれ連動して変化させて、洗浄槽１内に供給する外気の量と第３の経路１３を介して第２の経路１２に供給する外気の量を変化させる。その結果、混合部１４において、外気と洗浄槽１内から排気された空気との混合割合が変化するので、洗浄槽１内の温度が変化しても、排気口７から所定の温度の空気を排出することができる。
【００２２】
また、連結体１９は、第２の調節弁１７の開度が増大すると、第１の調節弁１６は開度が低減するように構成されている。また、送風手段６の運転停止時は、第１の調節弁１６が略水平となることで第１の経路１１を閉じており、第２の調節弁１７は略垂直となり開放状態となっている。第１の調節弁１６が第１の経路１１を塞いでいる状態で、第２の調節弁１７は、第１の調節弁１６を閉じる方向に加重し、送風手段６の風圧が所定値より低い場合あるいは送風手段６の運転停止時は、第１の調節弁１６を閉じようとする方向、つまり、図２および図３において時計回りに力が働く。
【００２３】
一方、送風手段６の風圧が所定値より高くなると、連結体１９は、図２および図３において反時計回りに回転し、風圧が上がるにつれて連結体２０の回転の角度が大きくなる。そして、送風手段６の風圧が所定値より高くなると第２の調節弁１７は全開し、送風量の大半を第１の経路１１側に供給するようになる。
【００２４】
また、風量分配手段１５は、第１の経路１１および第３の経路１３のそれぞれ一部を形成するとともに、第１の経路部品１１ａと第３の経路部品１３ａとが接続する第１の接続部１１ｂ近傍に着脱可能に設けられている。そのため、食器洗い乾燥機の使用者が、万が一、台所用の洗剤を入れた場合、洗浄槽１内に大量の泡が発生し、食器に付着していた異物とともに泡が洗浄槽１から風量分配手段１５に逆流してしまい、風量分配手段１５に汚れや泡が付着し不具合が起きた場合でも、風量分配手段１５を単独で外して修理することにより、メンテナンスの費用を抑制することができ、さらに、容易にメンテナンスをすることができる。
【００２５】
また、風量分配手段１５の軸受け部２１の壁面が、経路の壁面の一部を形成し、分岐部近傍の経路にネジで締結固定される。図４において、第１の接続部１１ｂ（孔部）上部に、前方から後方にスライド嵌合するように第３の経路部品１３ａの嵌合リブ１３ｂが組み込まれ、その後風量分配手段１５の蓋部１５ａが第３の経路部品１３ａが外れるのを防止する方向に固定してなるものである。
【００２６】
この構成により、風量分配手段１５が第３の経路部品１３ａを洗浄槽１の外壁前面に対し固定するので、別の部品を用いなくても第３の経路部品１３ａの組立固定ができることに加え、第１の調節弁１６や第２の調節弁１７が油汚れ等により固着して動かなくなるなど、風量分配手段１５に不具合がおきても、風量分配手段１５を外して修理することにより、容易にメンテナンスをすることができる。
【００２７】
図５は第２の経路部品１２ａと第３の経路部品１３ａの接続手段を示しているが、前述した第１の経路部品１１ａと第３の経路部品１３ａのスライド嵌合する方向と同方向に接続できるようになっている。つまり、洗浄槽１の前面側に固定されている第１および第２の経路部品１１ａ、１２ａに対し第３の経路部品１３ａは一方向の組立動作で組み込むことができる。
【００２８】
また、第２の経路部品１２ａと第３の経路部品１３ａとの第２の接続部１２ｂの断面積は、第１の接続部１１ｂの断面積より大きくなるよう構成されているが、後述する風量分配手段１５による風量分配動作時に、第２の経路１２に外気を送風する場合、第３の経路
１３への外気の入り口である第１の接続部１１ｂの断面積が、外気の出口である第２の接続部１２ｂの断面積より小さい場合、送風された外気の圧力が低減し、外気の供給効率が低減してしまうためである。
【００２９】
また発明者らは、第３の経路部品１３ａをより低コストに一部品点数で作成しようとして、ブロー成型で構成することも検討したが、第１の経路部品１１ａと第２の経路部品１２ａとの間隔のバラツキやブロー成型品の肉厚精度を考慮に入れた場合、第３の経路部品１３ａは、適正な材料で作成した射出成型品２部品を爪嵌合で組み立てた仕様に総合的なメリットがあるという結論に至った。
【００３０】
なお、第３の経路部品１３ａの射出整形部品の一方をタンクと一体に整形すれば、製造のコストを低減することができる。
【００３１】
以上のように構成された食器洗い乾燥機について、以下その動作、作用を説明する。
【００３２】
まず、筐体２６からスライド体２７を引き出して被洗浄物である食器を洗浄槽１内に収納し、スライド体２７を元に戻して洗浄を開始する。洗浄運転開始とともに給水弁２２を開成して給水管２３から洗浄槽１に給水し、所定量の給水が行われると給水弁２２を閉成して給水停止し、加熱手段５および洗浄手段４である洗浄ポンプ３の運転により洗浄ノズル２から温水を噴出させて被洗浄物である食器に噴きつける。洗浄水が噴出する反力で洗浄ノズル２が回転することで被洗浄物に洗浄水を行き渡らせ、洗浄性を高めている。ここでは加熱手段５を運転して温水で洗浄する場合を示したが、被洗浄物の汚れが弱い場合は加熱手段５を運転させずに給水温度で洗浄すれば良く、また被洗浄物の汚れが強い場合は洗剤を入れて洗浄する。洗浄運転が終了すると排水弁２４を開成して洗浄水を排水管２５から筐体２６の外部に排水し、排水し終わると排水弁２４を閉成する。
【００３３】
この洗浄行程においては、送風手段６は運転しておらず、第１の調節弁１６は第１の経路１１を略閉塞し、第２の調節弁１７は第２の経路を略開放している。このように、第１の経路１１は第１の調節弁１６により略閉塞されているので、使用者が万が一、台所用洗剤を食器洗い乾燥機に入れたために、大量の泡が発生した場合でも、第１の調節弁１６により第１の経路を介して洗浄槽１から送風手段６に泡が移動することを防止し、泡による送風手段６の故障を抑制することができる。特に、泡が送風手段６に入り込むと、最悪の場合発火してしまうこともあるので、第１の調節弁１６を第１の経路１１を遮蔽することにより、この問題の発生を効果的に抑制することができる。また、風量分配手段１５は着脱自在に設けられているため、泡の大量発生により第１の調節弁１６が第１の経路に固着した場合でも、風量分配手段１５単独で交換をすることができるので、メンテナンスの費用を抑制することができ、容易に修理を行うことができる。また、風量分配手段１５が故障した状態で食器洗い乾燥機を運転する場合が減るので、送風手段６の故障による問題の発生を抑制することができる。
【００３４】
次に行うすすぎ運転では洗剤を投入せずに、洗浄運転と同様に給水し、加熱手段５および洗浄ポンプ３の運転により洗浄ノズル２から温水を噴出させて被洗浄物である食器に噴きつけ循環させる。このすすぎ運転の後に行う被洗浄物を乾かす乾燥運転のため、最終すすぎ運転では被洗浄物を暖めておくのが好ましく、６０℃〜７０℃程度の高温水で最終すすぎ運転を実施すれば除菌処理ができる。すすぎ運転終了後は洗浄運転終了時と同様に洗浄槽１内のすすぎ水を排水する。
【００３５】
次に行う乾燥運転では、すすぎ運転により高温高湿になっている洗浄槽１内の空気を排出して被洗浄物を乾かすため、送風手段６を運転するとともに風量分配手段１５で第１の経路１１と第３の経路１３に分配して送風し、外気を混合部１４および洗浄槽１に送る。
特に、高温水ですすぎ運転を行った場合は排気口７から洗浄槽１内の高温高湿の空気を直接排出しないように、乾燥運転開始時には風量制御部により送風手段６を間欠的に運転させて送風量を少なくして低い風圧を風量分配手段１５に加えて、第３の経路１３側に主に送風し、乾燥行程初期に輩出される高温高湿の排気を冷却して、排気口７から高温高湿の空気が出ないようにする。
【００３６】
送風手段６からの外気の風圧が低いときは、第２の調節弁１７は、第１の調節弁１６を閉じる方向に加重する、つまり図２および図３において時計回りの方向にモーメントが働くので、さらに第１の調節弁１６の自重が加わり、第１の調節弁１６は閉じている状態を維持することができる。
【００３７】
次に、送風手段６の送風量を少し増加させて風量分配手段１５に付加する風圧を高め、図３に示すように第１の調節弁１６を僅かに開成させ、第１の経路１１側に少しの風を、第３の経路１３側に大部分の風を分配して送風させ、混合部１４では第１の経路１１側に入った風により洗浄槽１から押し出された高温高湿の風に対して大量の第３の経路１３側に入った風を混合して冷却し、排気口７から低温化した風を排出させる。
【００３８】
乾燥運転の進行に伴って、洗浄槽１内への外気の流入により洗浄槽１内から排気された空気の湿度が低下するため、排気口７から流出する排気の温度を所定値以下に冷却するに要する外気風量は少なくて済むようになる。従って、乾燥状態の進行に伴い混合部１４への外気風量は少なくすることができ、その分を第１の経路１１側に振向けて洗浄槽１内への風量を増加させることで被洗浄物の乾燥性能を高めることができる。そこで、送風手段６の運転に伴い第１の経路１１側に入った風により洗浄槽１内の湿度あるいは温度の低下とともに送風手段６からの外気の風圧をさらに増加させ、第１の調節弁１６の開度を大きくし、第１の調節弁１６と連結して一体化した第２の調節弁１７により第３の経路１３側の開度を小さくすることで、外気と洗浄槽内から排気された空気との風量割合を変化させ、第１の経路１１側への風量割合を増加させて乾燥の促進がなされる。
【００３９】
さらに、洗浄槽１内の湿度あるいは温度の低下ともに洗浄槽１内の空気を冷却せずに排気口７から排出しても良い状態になると、送風手段６を連続運転することで送風量を増加させて、第１の調節弁１６の開度を全開とし、第２の調節弁１７が全閉となるようにして、外気と洗浄槽内から排気された空気との風量割合を０：１程度まで変化させて送風手段６の送風を乾燥主体にする。
【００４０】
このように第１の調節弁１６が全開している状態では、第２の調節弁１７は第１の調節弁１６が開く方向に加重する、つまり、時計回りの方向にモーメントが働くので、第１の調節弁１６の全開状態を容易に維持することができ、第１の調節弁１６と第２の調節弁１７との開度が連動して変化することにより、送風手段６の送風量の変化とともに第１の経路１１と第３の経路１３への安定した風量分配がなされるとともに、外気と洗浄槽内から排気された空気との風量割合（第２の経路１２への送風量：洗浄槽内１への送風量）を１：０程度から０：１程度まで変化させることができ、送風手段６一つの送風で冷却から乾燥まで有効活用して低消費電力化および低コスト化を実現することができる。
【００４１】
このため、混合部１４での洗浄槽１内から排気された空気への外気混合および風量分配変化による冷却促進で排気温度の低温低湿度化を実現でき、洗浄槽１内からの排気の冷却時に発生する結露により洗浄槽１内からの排気中にあった水分の削減による設置した室内などの空間の湿度アップを少なくして快適性を向上でき、さらに風量分配を可変とすることで高温排気の防止と乾燥性能の確保の両立ができる。
【産業上の利用可能性】
【００４２】
本発明に係る食器洗い乾燥機は、乾燥運転時に排出される温湿度を低減した排気による熱風感の確実な防止と乾燥性能の向上の両立ができる家庭用機器として有用である。
【図面の簡単な説明】
【００４３】
【図１】本発明の実施の形態１における食器洗い乾燥機の断面図
【図２】同食器洗い乾燥機における風量分配手段の断面図
【図３】同食器洗い乾燥機における風量分配手段の他の断面図
【図４】同食器洗い乾燥機における第１の経路と第３の経路の接続部の斜視図
【図５】同食器洗い乾燥機における第２の経路と第３の経路の接続部の断面図
【図６】同食器洗い乾燥機における第３の経路の斜視図
【図７】従来の食器洗い乾燥機の断面図
【符号の説明】
【００４４】
１  洗浄槽
４  洗浄手段
５  加熱手段
６  送風手段
７  排気口
１１  第１の経路
１１ａ  第１の経路部品
１１ｂ  第１の接続部（第１の経路部品と第３の経路部品との接続部）
１２  第２の経路
１２ａ  第２の経路部品
１２ｂ  第２の接続部（第２の経路部品と第３の経路部品との接続部）
１３  第３の経路
１３ａ  第３の経路部品
１５  風量分配手段
【図１】
0004508251.tif 000002
【図２】
0004508251.tif 000003
【図３】
0004508251.tif 000004
【図４】
0004508251.tif 000005
【図５】
0004508251.tif 000006
【図６】
0004508251.tif 000007
【図７】
0004508251.tif 000008